(57)【要約】【課題】電池電圧の変化により動作電圧が変動する場合でも電界強度値を正確に算出する。【解決手段】固有値設定手段１１Ａで、電池電圧として定格電池電圧をＡ／Ｄ変換して得た固有電池電圧値を記憶部１５に格納し、所定基準電界強度の基準電波受信時に無線通信部１２から出力される固有電界強度電圧をＡ／Ｄ変換して得た固有電界強度値を記憶部１５に格納する。電池電圧算出手段１１Ｂで、電池電圧をＡ／Ｄ変換して得た実電池電圧値を、記憶部１５の固有電池電圧値を用いて補正して補正電池電圧を算出し、電界強度算出手段１１Ｃで、対象受信電波に対応する無線通信部１２からの電界強度電圧をＡ／Ｄ変換して得た実電界強度値を、電池電圧算出手段１１Ｂからの補正電池電圧と記憶部１５の固有電界強度値を用いて補正し、対象受信電波の電界強度を示す補正電界強度値を算出する。【選択図】        図１
2004357153.tif 000002
【特許請求の範囲】
【請求項１】
電池電圧から動作電圧を生成して供給する電源部と、この電源部から供給された動作電圧に基づき動作して無線電波を送受信するとともに、受信電波の電界強度を示す電界強度電圧を出力する無線通信部と、前記電源部から供給された動作電圧に基づき動作して任意の電圧をＡ／Ｄ変換するＡ／Ｄ変換部と、このＡ／Ｄ変換部を用いて得られた前記無線通信部からの電界強度電圧の電圧値に基づき所望の電界強度値を算出する制御部とを有する無線装置において、
前記電池電圧の補正に用いる固有電池電圧値を記憶するとともに、前記電界強度電圧の補正に用いる固有電界強度値を記憶する記憶部を備え、
前記制御部は、
前記電池電圧として所定の定格電池電圧を用いた場合に、当該定格電池電圧を前記Ａ／Ｄ変換部で変換して得られた固有電池電圧値を前記記憶部に格納するとともに、所定の基準電界強度が得られる基準電波を受信した際に前記無線通信部から出力される固有電界強度電圧を前記Ａ／Ｄ変換部で変換して得られた固有電界強度値を前記記憶部に格納する固有値設定手段と、
前記電池電圧を前記Ａ／Ｄ変換部で変換して得られた実電池電圧値を、前記記憶部に格納されている前記固有電池電圧値を用いて補正することにより、前記電池の実際の電池電圧を示す補正電池電圧を算出する電池電圧算出手段と、
対象となる受信電波に対応する前記無線通信部からの電界強度電圧を前記Ａ／Ｄ変換部で変換し、この変換により得られた実電界強度値を、前記電池電圧算出手段で算出された前記補正電池電圧と前記記憶部に格納されている前記固有電界強度値とを用いて補正することにより、前記対象受信電波の電界強度を示す補正電界強度値を算出する電界強度算出手段とを有することを特徴とする無線装置。
【請求項２】
請求項１において、
前記電池電圧算出手段は、
前記実電池電圧値をＡＤＢＡＴ、前記固有電池電圧値をＡＤＢＡＴ０、前記電池電圧として前記定格電池電圧が用いられた場合に本来得られるべきＡ／Ｄ変換後の定格電池電圧値をＡＤＢＡＴＲＡＴＥとした場合、前記補正電池電圧値ＡＤＢＡＴ１を、
ＡＤＢＡＴ１＝ＡＤＢＡＴ×ＡＤＢＡＴＲＡＴＥ／ＡＤＢＡＴ０
で算出することを特徴とする無線装置。
【請求項３】
請求項１において、
前記電界強度算出手段は、
前記電池電圧算出手段で得られた補正電池電圧値をＡＤＢＡＴ１、前記電池電圧として前記定格電池電圧が用いられた場合に本来得られるべきＡ／Ｄ変換後の定格電池電圧値をＡＤＢＡＴＲＡＴＥとした場合、第１の補正電界強度値ＡＤＲＳＳＩ１を、
ＡＤＲＳＳＩ１＝ＡＤＲＳＳＩ×ＡＤＢＡＴ１／ＡＤＢＡＴＲＡＴＥ
で算出し、
前記実電界強度値をＡＤＲＳＳＩ、前記固有電界強度値をＡＤＲＳＳＩ０、前記基準電波の電界強度として本来得られるべきＡ／Ｄ変換後の基準電界強度値をＡＤＲＳＳＩＴＨとした場合、前記補正電界強度値を示す第２の補正電界強度値ＡＤＲＳＳＩ２を、
ＡＤＲＳＳＩ２＝ＡＤＲＳＳＩ１×ＡＤＲＳＳＩＴＨ／ＡＤＲＳＳＩ０
で算出することを特徴とする無線装置。
【請求項４】
電池電圧から動作電圧を生成して供給する電源部と、この電源部から供給された動作電圧に基づき動作して無線電波を送受信するとともに、受信電波の電界強度を示す電界強度電圧を出力する無線通信部と、前記電源部から供給された動作電圧に基づき動作して任意の電圧をＡ／Ｄ変換するＡ／Ｄ変換部と、このＡ／Ｄ変換部を用いて得られた前記無線通信部からの電界強度電圧の電圧値に基づき所望の電界強度値を算出する制御部とを有する無線装置において、
前記電池電圧の補正に用いる固有電池電圧値を記憶するとともに、前記電界強度電圧の補正に用いる固有電界強度値を記憶する記憶部を備え、
前記制御部は、
前記電池電圧として所定の定格電池電圧を用いた場合に、当該定格電池電圧を前記Ａ／Ｄ変換部で変換して得られた固有電池電圧値をＡＤＢＡＴ０、前記電池電圧として前記定格電池電圧が用いられた場合に本来得られるべきＡ／Ｄ変換後の定格電池電圧値をＡＤＢＡＴＲＡＴＥ、前記電池電圧を前記Ａ／Ｄ変換部で変換して得られた実電池電圧値をＡＤＢＡＴ、所定の基準電界強度が得られる基準電波を受信した際に前記無線通信部から出力される固有電界強度電圧を前記Ａ／Ｄ変換部で変換して得られた固有電界強度値をＡＤＲＳＳＩ０、前記基準電波の電界強度として本来得られるべきＡ／Ｄ変換後の基準電界強度値をＡＤＲＳＳＩＴＨ、対象となる受信電波に対応する前記無線通信部からの電界強度電圧を前記Ａ／Ｄ変換部で変換して得られた電界強度値をＡＤＲＳＳＩ、Ａ／Ｄ変換部の最大分解数をＡＤＭＡＸとした場合、前記対象受信電波の電界強度を示す補正電界強度電圧ＶＲＳＳＩ２を、
ＶＲＳＳＩ２＝ＡＤＲＳＳＩ×（ＡＤＢＡＴ／ＡＤＢＡＴ０）×（ＡＤＲＳＳＩＴＨ／ＡＤＲＳＳＩ０）×（ＡＤＢＡＴＲＡＴＥ／ＡＤＭＡＸ）
で算出することを特徴とする無線装置。
【発明の詳細な説明】
【０００１】
【発明の属する技術分野】
本発明は、無線装置に関し、特に受信した電波の電界強度を算出する無線装置に関するものである。
【０００２】
【従来の技術】
無線電波を送受信することにより無線通信を行う無線装置では、受信した電波の強さすなわち電界強度を算出し、得られた電界強度と基準となる所定の電界強度とを比較することにより、通信相手との間で無線通信が正常に行えるか否か、すなわち当該無線装置が通信相手の通信圏内に存在しているか否かを判断している。
このような無線装置では、電波を送受信する無線通信部や動作電源を出力する電源部のばらつき、さらには電池を電源とする場合の電池電圧の変化などがあるため、実際に電界強度を算出する際の条件が一定ではない。したがって、これら回路部のばらつきや電池電圧の変化を考慮して、電界強度に基づく判定を行う必要がある。
【０００３】
従来、このような判定に先だって、定格動作電源が得られる電池電圧を示す当該無線装置に固有の固有電池電圧値と、判断基準となる電波から得られる電界強度を示す当該無線装置に固有の固有電界強度値とを、予め当該無線装置で実測してＡ／Ｄ変換して記憶部に記憶しておき、この固有電池電圧値と実際の電池電圧値とを比較することにより電池の消耗を判定するとともに、固有電界強度値と実際の電界強度値とを比較することにより通信可否を判定するものとなっている（例えば、特許文献１など参照）。
【０００４】
なお、出願人は、本明細書に記載した先行技術文献情報で特定される先行技術文献以外には、本発明に関連する先行技術文献を出願時までに発見するには至らなかった。
【０００５】
【特許文献１】
特開平５−３１６０３６号公報
【０００６】
【発明が解決しようとする課題】
このような無線装置では、ＤＣ−ＤＣコンバータなどの定電圧回路からなる電源部を用いてＡ／Ｄ変換部の動作電源を電池から生成し、電池電圧をそのまま無線通信部に用いているものがある。このような場合には、電池の消耗さらには充電によりその電池電圧が変化するとともに、電源部から出力される動作電圧もその影響により変動する。
しかしながら、従来の無線装置では、電界強度値を比較する際、固有電池電圧とは異なる電池電圧に基づき出力される動作電圧下において実電界強度値を算出しているため、得られた実電界強度値に誤差が含まれており、電界強度を正確に算出できないという問題点があった。
【０００７】
例えば、無線通信部では、電界強度を電圧値で出力するものとなっているが、動作電圧が変動すれば電界強度と電圧値との関係に誤差を生ずる。また、Ａ／Ｄ変換部は、動作電圧を最大分解数で分割した電圧が分解能となるため、同一電圧値を変換する場合でも動作電圧が変動すれば得られる変換値も異なる。
したがって、算出される電界強度値には、動作電圧の変動による誤差が含まれることになり、精度よく電界強度を比較判定できない。
本発明はこのような課題を解決するためのものであり、電池電圧の変化により動作電圧が変動する場合でも電界強度値を正確に算出できる無線装置を提供することを目的としている。
【０００８】
【課題を解決するための手段】
このような目的を達成するために、本発明にかかる無線装置は、電池電圧から動作電圧を生成して供給する電源部と、この電源部から供給された動作電圧に基づき動作して無線電波を送受信するとともに、受信電波の電界強度を示す電界強度電圧を出力する無線通信部と、電源部から供給された動作電圧に基づき動作して任意の電圧をＡ／Ｄ変換するＡ／Ｄ変換部と、このＡ／Ｄ変換部を用いて得られた無線通信部からの電界強度電圧の電圧値に基づき所望の電界強度値を算出する制御部とを有する無線装置において、電池電圧の補正に用いる固有電池電圧値を記憶するとともに、電界強度電圧の補正に用いる固有電界強度値を記憶する記憶部を備え、制御部に、電池電圧として所定の定格電池電圧を用いた場合に、当該定格電池電圧をＡ／Ｄ変換部で変換して得られた固有電池電圧値を記憶部に格納するとともに、所定の基準電界強度が得られる基準電波を受信した際に無線通信部から出力される固有電界強度電圧をＡ／Ｄ変換部で変換して得られた固有電界強度値を記憶部に格納する固有値設定手段と、電池電圧をＡ／Ｄ変換部で変換して得られた実電池電圧値を、記憶部に格納されている固有電池電圧値を用いて補正することにより、電池の実際の電池電圧を示す補正電池電圧を算出する電池電圧算出手段と、対象となる受信電波に対応する無線通信部からの電界強度電圧をＡ／Ｄ変換部で変換し、この変換により得られた実電界強度値を、電池電圧算出手段で算出された補正電池電圧と記憶部に格納されている固有電界強度値とを用いて補正することにより、対象受信電波の電界強度を示す補正電界強度値を算出する電界強度算出手段とを設けたものである。
【０００９】
電池電圧を算出する具体例としては、電池電圧算出手段で、実電池電圧値をＡＤＢＡＴ、固有電池電圧値をＡＤＢＡＴ０、電池電圧として定格電池電圧が用いられた場合に本来得られるべきＡ／Ｄ変換後の定格電池電圧値をＡＤＢＡＴＲＡＴＥとした場合、補正電池電圧値ＡＤＢＡＴ１を、
ＡＤＢＡＴ１＝ＡＤＢＡＴ×ＡＤＢＡＴＲＡＴＥ／ＡＤＢＡＴ０
で算出するようにしてもよい。
【００１０】
電界強度を算出する具体例としては、電界強度算出手段で、電池電圧算出手段で得られた補正電池電圧値をＡＤＢＡＴ１、電池電圧として定格電池電圧が用いられた場合に本来得られるべきＡ／Ｄ変換後の定格電池電圧値をＡＤＢＡＴＲＡＴＥとした場合、第１の補正電界強度値ＡＤＲＳＳＩ１を、
ＡＤＲＳＳＩ１＝ＡＤＲＳＳＩ×ＡＤＢＡＴ１／ＡＤＢＡＴＲＡＴＥ
で算出し、実電界強度値をＡＤＲＳＳＩ、固有電界強度値をＡＤＲＳＳＩ０、基準電波の電界強度として本来得られるべきＡ／Ｄ変換後の基準電界強度値をＡＤＲＳＳＩＴＨとした場合、補正電界強度値を示す第２の補正電界強度値ＡＤＲＳＳＩ２を、
ＡＤＲＳＳＩ２＝ＡＤＲＳＳＩ１×ＡＤＲＳＳＩＴＨ／ＡＤＲＳＳＩ０
で算出するようにしてもよい。
【００１１】
また、本発明にかかる他の無線装置は、電池電圧から動作電圧を生成して供給する電源部と、この電源部から供給された動作電圧に基づき動作して無線電波を送受信するとともに、受信電波の電界強度を示す電界強度電圧を出力する無線通信部と、電源部から供給された動作電圧に基づき動作して任意の電圧をＡ／Ｄ変換するＡ／Ｄ変換部と、このＡ／Ｄ変換部を用いて得られた無線通信部からの電界強度電圧の電圧値に基づき所望の電界強度値を算出する制御部とを有する無線装置において、電池電圧の補正に用いる固有電池電圧値を記憶するとともに、電界強度電圧の補正に用いる固有電界強度値を記憶する記憶部を備え、制御部で、電池電圧として所定の定格電池電圧を用いた場合に、当該定格電池電圧をＡ／Ｄ変換部で変換して得られた固有電池電圧値をＡＤＢＡＴ０、電池電圧として定格電池電圧が用いられた場合に本来得られるべきＡ／Ｄ変換後の定格電池電圧値をＡＤＢＡＴＲＡＴＥ、電池電圧をＡ／Ｄ変換部で変換して得られた実電池電圧値をＡＤＢＡＴ、所定の基準電界強度が得られる基準電波を受信した際に無線通信部から出力される固有電界強度電圧をＡ／Ｄ変換部で変換して得られた固有電界強度値をＡＤＲＳＳＩ０、基準電波の電界強度として本来得られるべきＡ／Ｄ変換後の基準電界強度値をＡＤＲＳＳＩＴＨ、対象となる受信電波に対応する無線通信部からの電界強度電圧をＡ／Ｄ変換部で変換して得られた電界強度値をＡＤＲＳＳＩ、Ａ／Ｄ変換部の最大分解数をＡＤＭＡＸとした場合、対象受信電波の電界強度を示す補正電界強度電圧ＶＲＳＳＩ２を、
ＶＲＳＳＩ２＝ＡＤＲＳＳＩ×（ＡＤＢＡＴ／ＡＤＢＡＴ０）×（ＡＤＲＳＳＩＴＨ／ＡＤＲＳＳＩ０）×（ＡＤＢＡＴＲＡＴＥ／ＡＤＭＡＸ）
で算出するようにしたものである。
【００１２】
【発明の実施の形態】
次に、本発明の実施の形態について図面を参照して説明する。
まず、図１を参照して、本発明の一実施の形態にかかる無線装置について説明する。図１は本発明の一実施の形態にかかる無線装置の構成を示すブロック図である。
この無線装置１０は、無線電波を送受信することによりデータ通信あるいは音声通話などの無線通信を行う装置であり、制御部１１、無線通信部１２、操作入力部１３、表示部１４、記憶部１５、電池１６、電源部１７、およびＡ／Ｄ変換部１８が設けられている。
【００１３】
制御部１１は、ＣＰＵなどのマイクロプロセッサとその周辺回路からなり、記憶部１５あるいは自身内部に予め格納されているプログラムを実行することにより、上記ハードウェア資源とプログラムとを協働させて各種機能手段を実現する。
無線通信部１２は、無線電波を送受信することにより無線通信を行う回路部であり、受信電波の電界強度を検出し、その電界強度に応じたレベルの電圧値を電界強度電圧ＶＲＳＳＩとして出力する機能を有している。
【００１４】
操作入力部１３は、各種の操作ボタンやスイッチなどからなり、利用者の操作を検出して制御部１１へ出力する回路部である。表示部１４は、ＬＥＤやＬＣＤなどからなり、無線装置１０の動作状態、例えば対象となる電波の電界強度のレベルを示す情報、あるいは電池１６の消耗を警告する情報などの各種情報を表示する回路部である。
記憶部１５は、メモリやハードディスクなどの記憶装置からなり、制御部１１での処理に用いる各種情報を記憶する回路部である。メモリとしては、ＥＥＰＲＯＭなどの不揮発性メモリを用いてもよく、また、制御部１１のＣＰＵ内部のメモリにより実現してもよい。
【００１５】
電池１６は、直流の電池電圧を出力する充電電池や乾電池からなり、コネクタＣＮを介して電源部１７に接続されている。電源部１７は、ＤＣ−ＤＣコンバータなどの定電圧回路からなり、電池１６からの電池電圧に基づき動作電源として動作電圧ＶＤＤを供給する回路部である。この動作電圧ＶＤＤにより、Ａ／Ｄ変換部１８をはじめとして、無線装置１０の各部が動作する。また、無線通信部１２は、直接、電池電圧ＶＢＡＴを動作電圧として動作する。
Ａ／Ｄ変換部１８は、無線通信部１２からの電界強度電圧ＶＲＳＳＩや電源部１７に入力される電池電圧ＶＢＡＴなど、任意の電圧（アナログ情報）を取り込んでＡ／Ｄ変換し、その変換値（デジタル情報）を制御部１１へ出力する回路部である。
【００１６】
次に、制御部１１の機能手段について説明する。制御部１１には、機能手段として、固有値設定手段１１Ａ、電池電圧算出手段１１Ｂ、および電界強度算出手段１１Ｃが設けられている。
固有値設定手段１１Ａは、無線装置１０の製造時の調整工程や、設置作業時あるいはメンテナンス作業時など、電池電圧算出手段１１Ｂや電界強度算出手段１１Ｃでの処理動作に先立って、固有値設定処理を実行することにより、電池電圧算出手段１１Ｂの処理で用いる固有電池電圧値ＡＤＢＡＴ０と、電界強度算出手段１１Ｃの処理で用いる固有電界強度値ＡＤＲＳＳＩ０とを取得して記憶部１５へ格納する。
【００１７】
具体的には、電池電圧ＶＢＡＴとして所定の定格電池電圧ＶＢＡＴＲＡＴＥを用いた場合に、当該定格電池電圧ＶＢＡＴＲＡＴＥをＡ／Ｄ変換部１８で変換し、得られた変換値を固有電池電圧値ＡＤＢＡＴ０として記憶部１５に格納する。また、所定の基準電界強度が得られる基準電波を受信した際に無線通信部１２から出力される基準電界強度電圧をＡ／Ｄ変換部１８で変換し、得られた変換値を固有電界強度値ＡＤＲＳＳＩ０として記憶部１５に格納する。
【００１８】
電池電圧算出手段１１Ｂは、固有値設定手段１１Ａでの基準値設定処理が行われた後、電池電圧算出処理を実行して、実際の電池電圧ＶＢＡＴをＡ／Ｄ変換部１８で変換し、得られた変換値ＡＤＢＡＴを記憶部１５に格納されている固有電池電圧値ＡＤＢＡＴ０に基づき補正することにより、電界強度算出手段１１Ｃでの処理に用いる補正電池電圧値ＡＤＢＡＴ１を算出する。
【００１９】
具体的には、固有電池電圧値ＡＤＢＡＴ０と、定格電池電圧ＶＢＡＴＲＡＴＥをＡ／Ｄ変換して本来得られるべき定格電池電圧値（理想値）ＡＤＢＡＴＲＡＴＥ、すなわち定格動作電圧ＶＤＤＲＡＴＥ下で定格電池電圧ＶＢＡＴＲＡＴＥをＡ／Ｄ変換して得られる定格電池電圧値ＡＤＢＡＴＲＡＴＥとの比を用いて、実測されたＶＢＡＴを示すＡＤＢＡＴを補正しており、その補正電池電圧値ＡＤＢＡＴ１は、次の式（１）で算出される。
ＡＤＢＡＴ１＝ＡＤＢＡＴ×ＡＤＢＡＴＲＡＴＥ／ＡＤＢＡＴ０  …（１）
【００２０】
電界強度算出手段１１Ｃは、電池電圧算出手段１１Ｂでの電池電圧算出処理が行われた後、電界強度算出処理を実行して、算出対象となる電波を受信した際に無線通信部１２から出力される電界強度電圧ＶＲＳＳＩをＡ／Ｄ変換部１８で変換し、得られた実電界強度値ＡＤＲＳＳＩを、電池電圧算出手段１１Ｂで算出された補正電池電圧値ＡＤＢＡＴ１と、記憶部１５に格納されている固有電界強度値ＡＤＲＳＳＩ０とを用いて補正し、対象受信電波の電界強度を示す補正電界強度値ＡＤＲＳＳＩ２を算出する。
【００２１】
具体的には、電池電圧算出手段１１Ｂで得られた補正電池電圧値ＡＤＢＡＴ１と、定格電池電圧値ＡＤＢＡＴＲＡＴＥとの比を用いて、実測されたＶＲＳＳＩを示すＡＤＲＳＳＩを補正し、補正電界強度値（第１の補正電界強度値）ＡＤＲＳＳＩ１を得ている。
この際、ＡＤＲＳＳＩ１は、次の式（２）で算出される。
ＡＤＲＳＳＩ１＝ＡＤＲＳＳＩ×ＡＤＢＡＴ１／ＡＤＢＡＴＲＡＴＥ  …（２）
【００２２】
さらに、この補正電界強度値ＡＤＲＳＳＩ１を、基準電界強度電圧ＶＲＳＳＩＴＨをＡ／Ｄ変換して本来得られるべき基準電界強度値（理想値）ＡＤＲＳＳＩＴＨ、すなわち定格動作電圧ＶＤＤＲＡＴＥ下で基準電界強度電圧ＶＲＳＳＩＴＨをＡ／Ｄ変換して得られる基準電界強度値ＡＤＲＳＳＩＴＨと、固有電界強度値ＡＤＲＳＳＩ０との比を用いて補正し、対象受信電波の電界強度を示す補正電界強度値（第２の補正電界強度値）ＡＤＲＳＳＩ２を得ている。
この際、ＡＤＲＳＳＩ２は、次の式（３）で算出される。
ＡＤＲＳＳＩ２＝ＡＤＲＳＳＩ１×ＡＤＲＳＳＩ０／ＲＳＳＩＴＨ  …（３）
【００２３】
なお、定格電池電圧値ＡＤＢＡＴＲＡＴＥについては、Ａ／Ｄ変換部１８の最大分解数をＡＤＭＡＸとした場合、次の式（４）で算出される。
ＡＤＢＡＴＲＡＴＥ＝ＶＢＡＴＲＡＴＥ×ＡＤＭＡＸ／ＶＤＤＲＡＴＥ  …（４）
また、基準電界強度値ＡＤＲＳＳＩＴＨについては、次の式（５）で算出される。
ＡＤＲＳＳＩＴＨ＝ＶＲＳＳＩＴＨ×ＡＤＭＡＸ／ＶＤＤＲＡＴＥ  …（５）
【００２４】
無線装置１０では、電池１６の消耗に対する判定や無線通信部１２で検出された電界強度に対する判定を行う場合、これら電池電圧ＶＢＡＴや電界強度電圧ＶＲＳＳＩを、Ａ／Ｄ変換部１８でデジタル値からなる電池電圧値ＡＤＢＡＴやＡＤＲＳＳＩに変換し、予め設定された判断基準である基準電池電圧値ＡＤＢＡＴＴＨや基準電界強度値ＡＤＲＳＳＩＴＨと比較している。
この際、電池１６から電源部１７へ入力されている電池電圧ＶＢＡＴを示すＡＤＢＡＴには、その電源部１７やＡ／Ｄ変換部１８に固有の誤差を含んでおり、定格動作電圧ＶＤＤＲＡＴＥ下で規定された基準電池電圧ＶＢＡＴＴＨと比較して、電池の消耗を判定するには、上記誤差を補正する必要がある。
【００２５】
本発明では、固有値設定手段１１Ａで、当該無線装置１０の電源部１７やＡ／Ｄ変換部１８に固有の誤差を含む固有電池電圧値ＡＤＢＡＴ０を予め測定して記憶部１５へ格納しておき、電池電圧算出手段１１Ｂで、この固有電池電圧値ＡＤＢＡＴ０に基づき、実測されたＶＢＡＴを示すＡＤＢＡＴを補正するようにしたので、装置固有の誤差を含まない補正電池電圧値ＡＤＢＡＴ１を正確に算出することができる。したがって、定格動作電圧下で規定された基準電池電圧ＶＢＡＴＴＨと同じ動作条件下における補正電池電圧値ＡＤＢＡＴ１を得ることができ、基準電池電圧値ＡＤＢＡＴＴＨと補正電池電圧値ＡＤＢＡＴ１との比較により、電池１６の消耗を精度よく判定できる。
【００２６】
また、無線通信部１２で検出された電界強度電圧ＶＲＳＳＩを示すＡＤＲＳＳＩは、その無線通信部１２に固有の誤差を含んでおり、定格動作電圧ＶＤＤＲＡＴＥ下で規定された基準電界強度値ＡＤＲＳＳＩＴＨと比較するには、上記誤差を補正する必要がある。
本発明では、固有値設定手段１１Ａで、当該無線装置１０の無線通信部１２に固有の誤差を含む固有電界強度値ＡＤＲＳＳＩ０を予め測定しておき、この固有電界強度値ＡＤＲＳＳＩ０に基づき、実測された電界強度値ＡＤＲＳＳＩを補正するようにしたので、無線通信部１２に固有の誤差を含まない電界強度値を正確に算出できる。
【００２７】
この際、ＡＤＲＳＳＩ０は、電池電圧として基準電池電圧ＶＢＡＴＴＨを用いて測定したことを前提としていることになる。しかし、実際にはＡＤＲＳＳＩの測定時の電池電圧がＶＢＡＴ０に等しいとは限らず、実際にＡＤＲＳＳＩを得た場合と、ＡＤＲＳＳＩ０を得た場合とで、電池電圧すなわち動作電圧が異なる場合には、得られた補正電界強度値に、動作電圧ＶＤＤの違いに起因する誤差を含むことになる。
【００２８】
本発明では、対象受信電波の電界強度値ＡＤＲＳＳＩを、電池電圧算出手段１１Ｂで算出されたＡＤＢＡＴ１に基づき補正し、得られた補正電界強度値ＡＤＲＳＳＩ１を、予め測定しておいた固有電界強度値ＡＤＲＳＳＩ０に基づき補正するようにしたので、動作電圧の違いによる誤差を含まない電界強度値ＡＤＲＳＳＩ２を正確に算出できる。
したがって、定格動作電圧下で規定された基準電界強度電圧ＶＲＳＳＩＴＨと同じ動作条件下における電界強度値ＡＤＲＳＳＩ２を得ることができ、基準電界強度値ＡＤＲＳＳＩＴＨと電界強度値ＡＤＲＳＳＩ２との比較により、受信電波の電界強度を精度よく判定できる。
【００２９】
次に、図２を参照して、本実施の形態にかかる無線装置の動作として、固有値設定手段における固有値設定処理について説明する。図２は固有値設定処理を示すフローチャートである。
固定値設定手段１１Ａでは、無線装置１０の製造時の調整工程や、設置作業時あるいはメンテナンス作業時に、図２の固有値設定処理を実行する。
この際、電源部１７の入力側から電池１６を切り離し、代わりに基準電圧発生器（図示せず）を接続し、電源部１７に対して定格電池電圧ＶＢＡＴＲＡＴＥが入力されているものとする。また、無線通信部１２では、電界強度の判定基準となる基準電界強度値ＡＤＲＳＳＩＴＨに対応する基準電波を受信しているものとする。
【００３０】
固有値設定手段１１Ａは、まず、基準電圧発生器からの基準電池電圧ＶＢＡＴＴＨをＡ／Ｄ変換部１８でＡ／Ｄ変換して、その変換値ＡＤＢＡＴ０を取得し（ステップ１００）、その変換値ＡＤＢＡＴ０を固有電池電圧値として記憶部１５へ格納する（ステップ１０１）。
また、この基準電波を無線通信部１２で受信して得られた電界強度電圧ＶＲＳＳＩをＡ／Ｄ変換部１８でＡ／Ｄ変換して、その変換値ＡＤＲＳＳＩ０を取得する（ステップ１０３）。そして、その変換値ＡＤＲＳＳＩ０を固有電界強度値として記憶部１５へ記憶し（ステップ１０４）、一連の固有値設定処理を終了する。
【００３１】
これにより、固有電池電圧値ＡＤＢＡＴ０と固有電界強度値ＡＤＲＳＳＩ０とが記憶部１５に記憶され、その後の電池電圧算出処理および電界強度算出処理に用いられる。
なお、ステップ１０１，１０２とステップ１０３，１０４については、その順序を入れ替えて実行してもよい。
【００３２】
次に、図３を参照して、本実施の形態にかかる無線装置の動作として、電池電圧算出手段における電池電圧算出処理について説明する。図３は電池電圧算出処理を示すフローチャートである。
電池電圧算出手段１１Ｂでは、設置作業時あるいはメンテナンス作業時に、図３の電池電圧算出処理を実行する。
この際、無線装置１０は電池１６からの任意の電池電圧ＶＢＡＴを入力として電源部１７から供給されている動作電圧ＶＤＤに基づき動作し、無線通信部１２は、電池電圧ＶＢＡＴに基づき動作しているものとする。
【００３３】
まず、電池電圧算出手段１１Ｂは、電池電圧ＶＢＡＴをＡ／Ｄ変換部１８でＡ／Ｄ変換し、得られた電池電圧値ＡＤＢＡＴを取得する（ステップ１１０）。そして、そのＡＤＢＡＴを記憶部１５の固有電池電圧値ＡＤＢＡＴ０を用いて、上記式（１）に基づき補正し、補正電池電圧値ＡＤＢＡＴ１を算出する（ステップ１１１）。
また、この補正電池電圧値ＡＤＢＡＴ１に対応する補正電池電圧ＶＢＡＴ１を、次の式（６）に基づき算出し（ステップ１１２）、一連の電池電圧算出処理を終了する。
ＶＢＡＴ１＝ＡＤＢＡＴ１×ＶＤＤＲＡＴＥ／ＡＤＭＡＸ  …（６）
【００３４】
次に、図４を参照して、本実施の形態にかかる無線装置の動作として、電界強度算出手段における電界強度算出処理について説明する。図４は電界強度算出処理を示すフローチャートである。
電界強度算出手段１１Ｃでは、電池電圧算出処理を実行した後、図４の電界強度算出処理を実行する。
この際、無線装置１０は電池１６からの電池電圧ＶＢＡＴを入力として電源部１７から供給されている動作電圧ＶＤＤに基づき動作し、無線通信部１２は、電池電圧ＶＢＡＴに基づき動作しているものとする。また、無線通信部１２では対象となる電波を受信し、その電界強度を示す電界強度電圧ＶＲＳＳＩが出力されているものとする。
【００３５】
まず、電界強度算出手段１１Ｃは、無線通信部１２からの電界強度電圧ＶＲＳＳＩをＡ／Ｄ変換部１８でＡ／Ｄ変換し、その変換値ＡＤＲＳＳＩを取得する（ステップ１２０）。次に、そのＡＤＲＳＳＩを、電池電圧算出手段１１Ｂで得られた補正電池電圧値ＡＤＢＡＴ１を用いて、上記式（２）に基づき補正し、補正電界強度値ＡＤＲＳＳＩ１を算出する（ステップ１２１）。
さらに、そのＡＤＲＳＳＩ１を、記憶部１５の固有電界強度値ＡＤＲＳＳＩ０を用いて、上記式（３）に基づき補正し、当該対象電波の電界強度を示す補正電界強度値ＡＤＲＳＳＩ２を算出する（ステップ１２２）。
【００３６】
また、この補正電界強度値ＡＤＲＳＳＩ２に対応する補正電界強度電圧ＶＲＳＳＩ２を、次の式（７）に基づき算出し（ステップ１２３）、一連の電界強度算出処理を終了する。
ＶＲＳＳＩ２＝ＡＤＲＳＳＩ２×ＡＤＢＡＴＲＡＴＥ／ＡＤＭＡＸ  …（７）
【００３７】
次に、実際の値を用いて、本実施の形態の処理動作例を説明する。
まず、定格電池電圧ＶＢＡＴＲＡＴＥ＝３Ｖ、定格動作電圧ＶＤＤＲＡＴＥ＝５Ｖで、Ａ／Ｄ変換部１８の最大分解数ＡＤＭＡＸ＝１０２３、基準電界強度電圧ＶＲＳＳＩＴＨ＝０．９Ｖとした場合、前述の式（４），（５）から、定格電池電圧値ＡＤＢＡＴＲＡＴＥ＝６１３、基準電界強度電圧値ＡＤＲＳＳＩＴＨ＝３０７が得られる。
また、固有値設定手段１１Ａで、固有電池電圧値ＡＤＢＡＴ０＝５９０と、固有電界強度値ＶＲＳＳＩ０＝２７３が得られたとする。
【００３８】
そして、実際の測定において、対象受信電波の電界強度値ＡＤＲＳＳＩ＝２４０が測定され、そのときの電池電圧値ＡＤＢＡＴ＝５００であった場合、電池電圧算出手段１１Ｂで、前述の式（１）から、補正電池電圧値ＡＤＢＡＴ１＝５００×６１３／５９０＝５１９（２．５４Ｖ相当）が算出される。なお、ＡＤＢＡＴを補正しない場合は２．４４Ｖとなり、このような誤差が基準となる電池電圧を跨いで発生した場合には誤った判定が行われ、電池電圧の場合には、動作可能であるにもかかわらず、電池消耗により動作停止へ移行する場合もありうる。本発明によれば、電池電圧の変化により動作電圧が変動する場合でも、電池電圧を正確に算出することができ、精度よく判定することができる。
【００３９】
また、電界強度算出手段１１Ｃで、前述の式（２）から、補正電界強度値ＡＤＲＳＳＩ１＝２４０×５１９／６１３＝２０３が算出され、さらに前述の式（３）から、補正電界強度値ＡＤＲＳＳＩ２＝２０３×３０７／２７３＝２２９が算出される。このＡＤＲＳＳＩ２＝２２９は、式（６）からＶＲＳＳＩ２＝０．６７Ｖに換算できる。ここで、ＶＲＳＳＩＴＨ＝０．９Ｖより大きい場合は電界強度が強いと判定するとともに、ＶＲＳＳＩＥＲＲ＝０．７Ｖ以下であれば電界強度が弱く通信圏外と判定し、ＶＲＳＳＩＴＨからＶＲＳＳＩＥＲＲまでを中程度の良好な電界強度（推奨値）の通信圏内と判定する場合、ＶＲＳＳＩ２＝０．６７Ｖであることから、通信圏外であると判定できる。
【００４０】
これに対し、ＡＤＲＳＳＩ＝２４０をＡＤＲＳＳＩ０だけで補正した場合、得られる電界強度値は、２４０×３０７／２７３＝２７０となり、式（６）から０．７９Ｖに換算される。この場合には、ＶＲＳＳＩＥＲＲ＝０．７Ｖより大きいことから通信圏内にあると判断されてしまい、通信圏外と検出されないことになる。
したがって、本願発明を適用すれば、電池電圧の変化により動作電圧が変動する場合でも、電界強度を正確に算出することができ、受信電波の電界強度を精度よく判定できる。
【００４１】
なお、図４の電界強度算出処理では、ＡＤＲＳＳＩを補正する場合、ステップ１２１でＡＤＢＡＴ１に基づき補正した後、ステップ１２２でＡＤＲＳＳＩ０に基づき補正する場合について説明したが、これら補正の順序を入れ替えて、まずＡＤＲＳＳＩ０に基づきＡＤＲＳＳＩを補正した後、ＡＤＢＡＴ１で補正してもよく、同じ結果が得られる。
【００４２】
また、制御部１１では、図３の電池電圧算出処理と電界強度算出処理とを一括して実行し、当該対象電波の電界強度を示す補正電界強度電圧ＶＲＳＳＩ２を算出てもよい。この場合には、前述した式（１），（２），（３），（７）を１つの式に合成して、次の式（８）に基づき算出すればよい。
ＶＲＳＳＩ２＝ＡＤＲＳＳＩ×（ＡＤＢＡＴ／ＡＤＢＡＴ０）×（ＡＤＲＳＳＩＴＨ／ＡＤＲＳＳＩ０）×（ＡＤＢＡＴＲＡＴＥ／ＡＤＭＡＸ）  …（８）
【００４３】
なお、図３の電池電圧算出処理と電界強度算出処理では、それぞれステップ１１２，１２３において、補正電池電圧および補正電界強度電圧を算出して、基準となる所定の電池電圧や電界強度電圧と比較する場合を例として説明したが、比較基準となる電池電圧や電界強度電圧を、Ａ／Ｄ変換後の値を予め用意しておき、電池電圧算出処理と電界強度算出処理で算出された補正電池電圧値および電界強度値と直接比較するようにしてもよい。この場合には、上記ステップ１１２，１２３は不要となる。
【００４４】
また、以上では、Ａ／Ｄ変換部１８が制御部１１と別個に設けた場合を例として説明したが、制御部１１で用いられるＣＰＵには、その内部回路としてＡ／Ｄ変換機能を有するものもあり、そのＡ／Ｄ変換機能をＡ／Ｄ変換部１８として利用してもよい。
また、本発明は、無線端末装置だけでなく、無線回線を介して無線端末装置を収容する親機や基地局、さらには無線受信装置にも、前述と同様にして適用することができでき、同様の作用効果を奏する。
【００４５】
【発明の効果】
以上説明したように、本発明は、制御部の固有値設定手段で、電池電圧として所定の定格電池電圧を用いた場合に、当該定格電池電圧をＡ／Ｄ変換部で変換して得られた固有電池電圧値を記憶部に格納するとともに、所定の基準電界強度が得られる基準電波を受信した際に無線通信部から出力される固有電界強度電圧をＡ／Ｄ変換部で変換して得られた固有電界強度値を記憶部に格納し、電池電圧算出手段で、電池電圧をＡ／Ｄ変換部で変換して得られた実電池電圧値を、記憶部に格納されている固有電池電圧値を用いて補正することにより、電池の実際の電池電圧を示す補正電池電圧を算出し、電界強度算出手段で、対象となる受信電波に対応する無線通信部からの電界強度電圧をＡ／Ｄ変換部で変換し、この変換により得られた実電界強度値を、電池電圧算出手段で算出された補正電池電圧と記憶部に格納されている固有電界強度値とを用いて補正することにより、対象受信電波の電界強度を示す補正電界強度値を算出するようしにしたものである。
したがって、電池電圧の変化により動作電圧が変動する場合でも電界強度値を正確に算出できる。これにより、定格動作電圧下で規定された基準電界強度電圧と同じ動作条件下における電界強度値を得ることができ、基準電界強度値と電界強度値との比較により、受信電波の電界強度を精度よく判定できる。
【図面の簡単な説明】
【図１】本発明の一実施の形態にかかる無線装置の構成を示すブロック図である。
【図２】固有値設定処理を示すフローチャートである。
【図３】電池電圧算出処理を示すフローチャートである。
【図４】電界強度算出処理を示すフローチャートである。
【符号の説明】
１０…無線装置、１１…制御部、１１Ａ…固有値設定手段、１１Ｂ…電池電圧算出手段、１１Ｃ…電界強度算出手段、１２…無線通信部、１３…操作入力部、１４…表示部、１５…記憶部、１６…電池、１７…電源部、１８…Ａ／Ｄ変換部、ＶＢＡＴ…電池電圧、ＶＢＡＴＲＡＴＥ…定格電池電圧、ＶＢＡＴＴＨ…基準電池電圧、ＡＤＢＡＴ…電池電圧値、ＡＤＢＡＴ０…固有電池電圧値、ＡＤＢＡＴ１…補正電池電圧値、ＶＢＡＴ１…補正電池電圧、ＶＤＤ…動作電圧、ＶＤＤＲＡＴＥ…定格動作電圧、ＶＲＳＳＩ…電界強度電圧、ＡＤＲＳＳＩ…電界強度値、ＡＤＲＳＳＩＴＨ…基準電界強度値、ＡＤＲＳＳＩ０…固有電界強度値、ＡＤＲＳＳＩ１，ＡＤＲＳＳＩ２…補正電界強度値。
【図１】
2004357153.tif 000003
【図２】
2004357153.tif 000004
【図３】
2004357153.tif 000005
【図４】
2004357153.tif 000006